(57)【要約】      （修正有）【課題】着衣したときに、下半身を露出させる部分の開口縁がめくれ上がることのないペット用衣服を提供する。【解決手段】腹部を覆う前身頃２０及び両側部から背中部分を覆う後身頃３０を具備した胴包部１０に、犬の頭を露出させる前側開口部１１と、前足を挿通させる脚開口部２１と、下半身を露出させる後側開口部１２とを設けたペット用衣服１において、胴包部１０に後側開口部１２の背中側の開口縁１２Ａのめくれ上がりを抑制する、着衣したペットの胴回り方向に沿って延出する樹脂製のワイヤによって構成された抑制部材５０が設けられている。【選択図】図１
0003225883.tif 000002
【実用新案登録請求の範囲】
【請求項１】
腹部を覆う前身頃及び両側部から背中部分を覆う後身頃を具備した胴包部に、頭を露出させる前側開口部と、前足を挿通させる脚開口部と、下半身を露出させる後側開口部とを設けたペット用衣服において、
前記胴包部には、前記後側開口部の背中側の開口縁のめくれ上がりを抑制する抑制部材が設けられていることを特徴とするペット用衣服。
【請求項２】
前記抑制部材は、着衣したペットの胴回り方向に沿って延出する樹脂製のワイヤであることを特徴とする請求項１に記載のペット用衣服。
【請求項３】
前記抑制部材は、前記胴包部に対して表面が露出しないように設けられることを特徴とする請求項１又は２に記載のペット用衣服。
【考案の詳細な説明】
【技術分野】
【０００１】
本考案は、犬や猫などのペットに着せるペット用衣服に関する。
【背景技術】
【０００２】
従来、犬の散歩をする際、犬に衣服を着せることがあり、その形状、材質、模様等、様々な形態のものが市販されている。例えば、特許文献１及び２には、犬の腹部を覆う前身頃及び両側部から背中部分を覆う後身頃を具備した胴包部に、頭を露出させる前側開口部、前足を挿通させる脚開口部、下半身を露出させる後側開口部を設けたペット用衣服が開示されている。
【０００３】
特許文献１に開示された衣服は、後側開口部から犬の頭部に被せることで着せるようになっており、特許文献２に開示された衣服は、後身頃を犬の背中部分に当て付けて脚開口部に前足を挿通させ、前身頃に設けられたボタンを掛けることで着せるようになっている。これらの衣服は、容易に着せることができ、また、後側開口部から下半身部分が露出するため、犬が座った時や排泄時に邪魔になることはない。
【先行技術文献】
【特許文献】
【０００４】
【特許文献１】特開２００５−６５５８９号
【特許文献２】実開平１−５９０５１号
【考案の概要】
【考案が解決しようとする課題】
【０００５】
上記した形態の衣服は、犬に着衣した際、胴包部の後側開口部から犬の下半身が露出する状態となっており、犬が激しく動くと、背中側の開口縁がめくれあがってしまうという問題が生じる。
【０００６】
本考案は、上記した問題に着目してなされたものであり、着衣したときに、下半身を露出させる部分の開口縁がめくれ上がることのないペット用衣服を提供することを目的とする。
【課題を解決するための手段】
【０００７】
上記した目的を達成するために、本考案は、腹部を覆う前身頃及び両側部から背中部分を覆う後身頃を具備した胴包部に、頭を露出させる前側開口部と、前足を挿通させる脚開口部と、下半身を露出させる後側開口部とを設けたペット用衣服において、前記胴包部には、前記後側開口部の背中側の開口縁のめくれ上がりを抑制する抑制部材が設けられていることを特徴とする。
【０００８】
前記胴包部に上記した抑制部材が設けられることにより、ペットが激しく動き回っても背中側の開口縁がめくれ上がることはない。この場合、抑制部材部は、後側開口部の背中側の開口縁がめくれ上がらないように、胴包部に縫着、接着等によって設けられていれば良く、例えば、着衣したペットの胴回り方向に沿って延出する樹脂製のワイヤで構成することが可能である。また、抑制部材は、胴包部に対して表面が露出しないように設けられていることが好ましい。
【考案の効果】
【０００９】
本考案によれば、着衣したときに、下半身を露出させる部分の開口縁がめくれ上がることのないペット用衣服が得られる。
【図面の簡単な説明】
【００１０】
【図１】本考案に係るペット用衣服の一実施形態を示し、前身頃の平面図。
【図２】図１に示すペット用衣服の後身頃の平面図。
【図３】ペット用衣服を犬に着衣した状態を示す斜視図。
【考案を実施するための形態】
【００１１】
以下、本考案に係るペット用衣服の一実施形態について、図１から図３を参照して具体的に説明する。なお、これらの図において、図１は、前身頃の平面図、図２は、後身頃の平面図、図３は、ペットである犬に着衣した状態を示す斜視図である。
【００１２】
本実施形態のペット用衣服１は、ペット（本実施形態では犬とする）１００の胴部を包み込むように着衣される胴包部１０を備えている。胴包部１０は、犬１００の腹部（首の下から下腹部領域を含む）を覆う前身頃２０及び両側部から背中部分を覆う後身頃３０を具備している。
【００１３】
前記前身頃２０には、犬の両脚部１０２を挿通させる脚開口部２１，２１と、脚開口部の間に設けられるボタン２２とを備えており、胴包部１０の上下には、それぞれ犬の頭１０１を露出させる前側開口部１１、犬の下半身（腰回りから下方）を露出させる後側開口部１２が設けられている。
【００１４】
前記胴包部１０の生地は、例えば、ニット、綿、フリース等、天然素材や化学素材で構成することが可能であり、生地の編成態様（伸縮性、通気性等）、外観模様（デザイン）、胴包部を構成するに際して前記生地の裁断形態や縫製の仕方についても特に限定されることはない。また、必要に応じて前側開口部１１の首回り、脚開口部２１，２１の付け根回り、後側開口部１２の胴部回りにカラー１１ａ，２１ａ，１２ａを縫着する等して補強やデザインの向上を図るようにしても良い。
【００１５】
上記したペット用衣服１は、犬の頭部１０１を後側開口部１２に挿通させると共に両脚部１０２を脚開口部２１，２１に挿通させ、２つのボタン２２を掛けることで犬に着衣させることが可能であり、この着衣状態で下半身は後側開口部１２から露出する。
【００１６】
前記胴包部１０には、犬が着衣した状態で、後側開口部１２の背中側の開口縁１２Ａのめくれ上がりを抑制する抑制部材５０が設けられている。
前記後側開口部１２の背中側（後身頃）の開口縁１２Ａは、犬が動き回る等するとめくれ上がるようになるが、抑制部材５０を設けることで、そのようなめくれ上がりを抑制することが可能となる。
【００１７】
本実施形態の抑制部材５０は、着衣した犬の胴回り方向に沿って延出するように、剛性のある素材、例えば、樹脂製のワイヤによって構成されており、後側開口部１２に沿って、後身頃３０の内部に埋め込まれる（外部に露出しない）ように配設されている。この場合、抑制部材５０の配設の仕方については、後身頃３０に対して、縫着、接着して、その表面を同様の生地で覆うようにしても良いし、後身頃３０に胴回りに沿うように開口部を形成し、その開口部に差し込むことで装着するようにしても良い。
【００１８】
上記した構成の抑制部材５０によれば、それ自体の剛性や重量によって犬の胴回りにフィットするため、着衣状態で犬が激しく動き回っても、開口縁１２Ａがめくれ上がることが抑制される。また、抑制部材５０は、胴包部１０に対して表面が露出しないように設けられているため、犬に不快感を与えることはなく、他物に引っ掛かるようなこともない。
【００１９】
上記した樹脂製のワイヤで構成される抑制部材は、めくれ上がりを防止できれば、その配設位置や長さについては限定されることはない。例えば、後側開口部１２に設けられる前記カラー１２ａ内に同様な抑制部材５０ａを配設する等、適宜変形することが可能である。
【００２０】
以上、本考案の実施形態について説明したが、本考案は、上記した実施形態に限定されることはなく、種々変更することが可能である。
例えば、上記した実施形態では、抑制部材５０は、樹脂製のワイヤによって構成したが、ある程度の剛性のある板状の部材を後身頃３０の後側開口部１２付近に配設し、後側開口部付近を保形するような構成であっても良い。また、胴包部１０のサイズ等については、適宜変形することが可能である。
【符号の説明】
【００２１】
１  ペット用衣服
１０  胴包部
１１  前側開口部
１２  後側開口部
２０  前身頃
２１  脚開口部
３０  後身頃
５０，５０ａ  抑制部材
１００  犬
【図１】
0003225883.tif 000003
【図２】
0003225883.tif 000004
【図３】
0003225883.tif 000005
【手続補正書】
【提出日】令和2年2月7日(2020.2.7)
【手続補正１】
【補正対象書類名】実用新案登録請求の範囲
【補正対象項目名】全文
【補正方法】変更
【補正の内容】
【実用新案登録請求の範囲】
【請求項１】
腹部を覆う前身頃及び両側部から背中部分を覆う後身頃を具備した胴包部に、頭を露出させる前側開口部と、前足を挿通させる脚開口部と、下半身を露出させる後側開口部とを設けたペット用衣服において、
前記胴包部には、前記後側開口部の背中側の開口縁のめくれ上がりを抑制するように、着衣したペットの胴回り方向に沿って延出する樹脂製のワイヤによって構成される抑制部材が設けられていることを特徴とするペット用衣服。
【請求項２】
腹部を覆う前身頃及び両側部から背中部分を覆う後身頃を具備した胴包部に、頭を露出させる前側開口部と、前足を挿通させる脚開口部と、下半身を露出させる後側開口部とを設けたペット用衣服において、
前記胴包部には、前記後側開口部の背中側の開口縁のめくれ上がりを抑制するように、着衣したペットの胴回り方向に沿って延出する剛性のある板状の部材によって構成される抑制部材が設けられていることを特徴とするペット用衣服。
【請求項３】
前記抑制部材は、前記胴包部に対して表面が露出しないように設けられることを特徴とする請求項１又は２に記載のペット用衣服。